(57)【要約】【課題】頭髪を簡単に編み込むことができ、頭髪を編み込んだ際に頭髪に隠れて外部にほとんど見えなくなる整髪補助具を提供する。【解決手段】整髪補助具１は、中央髪束を挟み込んで頭髪に固定する固定部１０と、複数の編み髪保持部３０Ａ〜３０Ｕとを備えている。編み髪保持部３０Ａ〜３０Ｕのそれぞれには、編み髪束を保持する編み髪保持孔３１と、編み髪保持孔３１からＸ方向に沿って延びる編み髪挿入溝３２とが形成されている。編み髪保持部３０Ａ〜３０Ｕは、固定部１０からＸ方向に蛇行しながらＹ方向に延びている。編み髪保持部３０Ａ〜３０ＵのＸ方向の幅は、Ｙ方向に沿って固定部１０から遠ざかるにつれて次第に小さくなっている。また、固定部１０のＸ方向の幅は、固定部１０に隣接する編み髪保持部３０Ａ，３０ＢのＸ方向の幅よりも小さい。【選択図】図１
0003192373.tif 000002
【実用新案登録請求の範囲】
【請求項１】
頭髪を編み込むために使用される整髪補助具であって、
中央髪束を挟み込んで頭髪に固定する固定部と、
編み髪束を保持する編み髪保持孔と、該編み髪保持孔から第１の方向に沿って延びる編み髪挿入溝とがそれぞれ形成された複数の編み髪保持部と、
を備え、
前記複数の編み髪保持部は、前記固定部から前記第１の方向に蛇行しながら該第１の方向に垂直な第２の方向に延び、
前記複数の編み髪保持部の前記第１の方向の幅が、前記第２の方向に沿って前記固定部から遠ざかるにつれて次第に小さくなっている
ことを特徴とする整髪補助具。
【請求項２】
中央髪束を挟み込んで頭髪に固定する固定部と、
編み髪束を保持する編み髪保持孔と、該編み髪保持孔から第１の方向に沿って延びる編み髪挿入溝とがそれぞれ形成された複数の編み髪保持部と、
を備え、
前記複数の編み髪保持部は、前記固定部から前記第１の方向に蛇行しながら該第１の方向に垂直な第２の方向に延び、
前記固定部の前記第１の方向の幅が、前記固定部に隣接する前記編み髪保持部の前記第１の方向の幅よりも小さい
ことを特徴とする整髪補助具。
【請求項３】
前記固定部には、前記第１の方向に沿って延びる波状部を有する溝が形成されていることを特徴とする請求項１又は２に記載の整髪補助具。
【請求項４】
前記編み髪保持部の前記編み髪挿入溝の前記第２の方向の幅は、前記編み髪保持孔の前記第２の方向の幅よりも小さいことを特徴とする請求項１から３のいずれか一項に記載の整髪補助具。
【考案の詳細な説明】
【技術分野】
【０００１】
本考案は、整髪補助具に係り、特に頭髪を編み込む際に使用される整髪補助具に関するものである。
【背景技術】
【０００２】
従来から頭髪を編み込むための整髪補助具として、蛇行するフックを有するものが知られている（例えば、特許文献１参照）。この特許文献１に記載された整髪補助具を用いれば、蛇行するフックに髪束を交互に引っ掛けることによって、頭髪を綺麗に編み込んでいくことができる。しかしながら、この特許文献１に記載された整髪補助具では、頭髪を編み込んだ際に、整髪補助具の構造上、その根元側及び毛先側が頭髪の間から見え隠れしてしまう。このため、使用者からは、頭髪を簡単に編み込むことができ、かつ頭髪を編み込んだ際に外部からほとんど見えなくなるような整髪補助具が望まれている。
【先行技術文献】
【特許文献】
【０００３】
【特許文献１】登録実用新案第３１７３３５１号公報
【考案の概要】
【考案が解決しようとする課題】
【０００４】
本考案は、このような従来技術の問題点に鑑みてなされたもので、頭髪を簡単に編み込むことができ、頭髪を編み込んだ際に頭髪に隠れて外部にほとんど見えなくなる整髪補助具を提供することを目的とする。
【課題を解決するための手段】
【０００５】
本考案の第１の態様によれば、頭髪を簡単に編み込むことができ、頭髪を編み込んだ際に頭髪に隠れて外部にほとんど見えなくなる整髪補助具が提供される。この整髪補助具は、中央髪束を挟み込んで頭髪に固定する固定部と、複数の編み髪保持部とを備えている。上記複数の編み髪保持部のそれぞれには、編み髪束を保持する編み髪保持孔と、該編み髪保持孔から第１の方向に沿って延びる編み髪挿入溝とが形成されている。上記複数の編み髪保持部は、上記固定部から上記第１の方向に蛇行しながら該第１の方向に垂直な第２の方向に延びている。上記複数の編み髪保持部の上記第１の方向の幅は、上記第２の方向に沿って上記固定部から遠ざかるにつれて次第に小さくなっている。
【０００６】
このような整髪補助具によれば、固定部から第１の方向に蛇行しながら第２の方向に延びる複数の編み髪保持部を備えているため、編み髪保持部の編み髪保持孔に編み髪束を通していくだけで頭髪を簡単に編み込むことができる。また、複数の編み髪保持部の第１の方向の幅が、第２の方向に沿って固定部から遠ざかるにつれて次第に小さくなっているため、編み髪保持部の編み髪保持孔に保持された編み髪束によって整髪補助具の毛先側が隠れるので、整髪補助具の毛先側が外部からほとんど見えることがない。
【０００７】
本考案の第２の態様によれば、頭髪を簡単に編み込むことができ、頭髪を編み込んだ際に頭髪に隠れて外部にほとんど見えなくなる整髪補助具が提供される。この整髪補助具は、中央髪束を挟み込んで頭髪に固定する固定部と、複数の編み髪保持部とを備えている。上記複数の編み髪保持部のそれぞれには、編み髪束を保持する編み髪保持孔と、該編み髪保持孔から第１の方向に沿って延びる編み髪挿入溝とが形成されている。上記複数の編み髪保持部は、上記固定部から上記第１の方向に蛇行しながら該第１の方向に垂直な第２の方向に延びている。上記固定部の上記第１の方向の幅は、上記固定部に隣接する上記編み髪保持部の上記第１の方向の幅よりも小さい。
【０００８】
このような整髪補助具によれば、固定部から第１の方向に蛇行しながら第２の方向に延びる複数の編み髪保持部を備えているため、編み髪保持部の編み髪保持孔に編み髪束を通していくだけで頭髪を簡単に編み込むことができる。また、固定部の第１の方向の幅が、固定部に隣接する編み髪保持部の第１の方向の幅よりも小さいため、編み髪保持部の編み髪保持孔に保持された編み髪束によって整髪補助具の根元側が隠れるので、整髪補助具の根元側が外部からほとんど見えることがない。
【０００９】
ここで、上記第１の方向に沿って延びる波状部を有する溝を上記固定部に形成することが好ましい。このような波状部を有する溝を形成することにより、この溝に挟み込んだ中央髪束が溝から外れてしまうことを防止することができる。
【００１０】
また、上記編み髪保持部の上記編み髪挿入溝の上記第２の方向の幅は、上記編み髪保持孔の上記第２の方向の幅よりも小さいことが好ましい。このようにすることで、編み髪挿入溝を通って編み髪保持孔に保持された編み髪が不用意に編み髪挿入溝を通って外部にほどけ出てしまうことを防止することができる。
【考案の効果】
【００１１】
本考案によれば、固定部から第１の方向に蛇行しながら第２の方向に延びる複数の編み髪保持部を備えているため、編み髪保持部の編み髪保持孔に編み髪束を通していくだけで頭髪を簡単に編み込むことができる。また、複数の編み髪保持部の第１の方向の幅が、第２の方向に沿って固定部から遠ざかるにつれて次第に小さくなっているため、編み髪保持部の編み髪保持孔に保持された編み髪束によって整髪補助具の毛先側が隠れるので、整髪補助具の毛先側が外部からほとんど見えることがない。また、固定部の第１の方向の幅が、固定部に隣接する編み髪保持部の第１の方向の幅よりも小さいため、編み髪保持部の編み髪保持孔に保持された編み髪束によって整髪補助具の根元側が隠れるので、整髪補助具の根元側が外部からほとんど見えることがない。
【図面の簡単な説明】
【００１２】
【図１】本考案の一実施形態における整髪補助具を示す正面図である。
【図２】図１に示される整髪補助具の平面図である。
【図３】図１に示される整髪補助具の底面図である。
【図４】図１に示される整髪補助具の左側面図である。
【図５】図１に示される整髪補助具の右側面図である。
【図６Ａ】図１に示される整髪補助具の使用方法を説明する模式図である。
【図６Ｂ】図１に示される整髪補助具の使用方法を説明する模式図である。
【図６Ｃ】図１に示される整髪補助具の使用方法を説明する模式図である。
【図６Ｄ】図１に示される整髪補助具の使用方法を説明する模式図である。
【図６Ｅ】図１に示される整髪補助具の使用方法を説明する模式図である。
【図６Ｆ】図１に示される整髪補助具の使用方法を説明する模式図である。
【図６Ｇ】図１に示される整髪補助具の使用方法を説明する模式図である。
【考案を実施するための形態】
【００１３】
以下、本考案に係る整髪補助具の実施形態について図１から図６Ｇを参照して詳細に説明する。なお、図１から図６Ｇにおいて、同一又は相当する構成要素には、同一の符号を付して重複した説明を省略する。
【００１４】
図１は本考案の一実施形態における整髪補助具１の正面図、図２は平面図、図３は底面図、図４は左側面図、図５は右側面図である。図１から図５に示すように、整髪補助具１は、後頭部の中央側の髪束（中央髪束）を挟み込んで頭髪に固定する固定部１０と、固定部１０からＸ方向に蛇行しながらＹ方向に延びるフック部２０とを備えている。フック部２０は複数の編み髪保持部３０から構成されており、それぞれの編み髪保持部３０には、中央髪束の側方の髪束（編み髪束）を保持する編み髪保持孔３１と、該編み髪保持孔３１からＸ方向に沿って延びる編み髪挿入溝３２とが形成されている。本実施形態におけるフック部２０は、図１に示すように、合計で２１個の編み髪保持部３０Ａ〜３０Ｕから構成されているが、編み髪保持部３０の個数はこれに限られるものではない。
【００１５】
図１に示すように、固定部１０のＸ方向の幅は、固定部１０に隣接する編み髪保持部３０Ａ，３０ＢのＸ方向の幅よりも小さくなっており、編み髪束を編み髪保持部３０Ａ，３０Ｂの編み髪保持孔３１に通した場合に、編み髪保持孔３１に通した編み髪束によって固定部１０が隠れるようになっている。
【００１６】
また、図１に示すように、固定部１０には、Ｘ方向に延びる３つの溝１１Ａ，１１Ｂ，１１Ｃが形成されており、後述するように、これらの溝１１Ａ，１１Ｂ，１１Ｃに中央髪束が挟み込まれる。これらの溝１１Ａ，１１Ｂ，１１Ｃの一部は、波状に形成されており、これによりＸ方向に沿って延びる波状部１２が構成されている。このように溝１１Ａ，１１Ｂ，１１Ｃに波状部１２を形成することにより、溝１１Ａ，１１Ｂ，１１Ｃに挟み込んだ中央髪束が溝１１Ａ，１１Ｂ，１１Ｃから外れてしまうことが防止される。
【００１７】
図１に示すように、編み髪保持部３０Ｋ，３０Ｌ，３０Ｍ，３０Ｎ，３０Ｏ，３０Ｐ，３０Ｑ，３０Ｒ，３０Ｓ，３０Ｔ，３０ＵのＸ方向の幅は、Ｙ方向に沿って固定部１０から遠ざかるにつれて次第に小さくなっている。これにより、編み髪束をそれぞれの編み髪保持部３０Ａ〜３０Ｕの編み髪保持孔３１に通した場合に、編み髪保持孔３１に通した編み髪束によって編み髪保持部３０Ａ〜３０Ｕのほとんどすべての部分が隠れるようになっている。
【００１８】
また、本実施形態では、図１に示すように、それぞれの編み髪保持部３０Ａ〜３０Ｕの編み髪挿入溝３２のＹ方向の幅は、編み髪保持孔３１のＹ方向の幅よりも小さくなっている。このような構成にすることで、編み髪挿入溝３２を通って編み髪保持孔３１に保持された編み髪が不用意に編み髪挿入溝３２を通って外部にほどけ出てしまうことを防止することができる。
【００１９】
次に、上述した構成の整髪補助具１の使用方法について説明する。まず、使用者は、後頭部の中央側の頭髪の一部を中央髪束として取り分け、図６Ａに示すように、この中央髪束１１０を整髪補助具１の固定部１０の溝１１Ａに通して固定部１０に挟み込む。さらに、図６Ｂに示すように、この中央髪束１１０の毛先側を溝１１Ｂに通して、さらに溝１１Ｃに通して固定部１０に挟み込む。
【００２０】
そして、図６Ｃに示すように、中央髪束１１０の右外側に位置する頭髪の一部を編み髪束１２１として取り分け、１つ目の編み髪保持部３０Ａの編み髪挿入溝３２に通して編み髪保持孔３１に挿入する。次に、図６Ｄに示すように、中央髪束１１０の左外側に位置する頭髪の一部を編み髪束１２２として取り分け、２つ目の編み髪保持部３０Ｂの編み髪挿入溝３２に通して編み髪保持孔３１に挿入する。
【００２１】
そして、図６Ｅに示すように、先ほど編み込んだ編み髪束１２１の右外側に位置する頭髪の一部を編み髪束１２３として取り分け、３つ目の編み髪保持部３０Ｃの編み髪挿入溝３２に通して編み髪保持孔３１に挿入する。次に、図６Ｆに示すように、先ほど編み込んだ編み髪束１２２の左外側に位置する頭髪の一部を編み髪束１２４として取り分け、４つ目の編み髪保持部３０Ｄの編み髪挿入溝３２に通して編み髪保持孔３１に挿入する。
【００２２】
以後、図６Ｇに示すように、編み髪束１２５〜１４１を同様の手順で編み髪保持部３０Ｅ〜３０Ｕ（図１参照）の編み髪保持孔にそれぞれ挿入し、最後に中央髪束１１０及び編み髪束１２１〜１４１の毛先の部分をゴムやピンなどで留めることによって所望の編み込みがなされた髪形が完成する。
【００２３】
上述したように、本実施形態に係る整髪補助具によれば、固定部１０からＸ方向に蛇行しながらＹ方向に延びる複数の編み髪保持部３０Ａ〜３０Ｕを備えているため、編み髪保持部３０Ａ〜３０Ｕの編み髪保持孔３１に編み髪束を通していくだけで頭髪を簡単に編み込むことができる。また、複数の編み髪保持部３０Ａ〜３０ＵのＸ方向の幅が、Ｙ方向に沿って固定部１０から遠ざかるにつれて次第に小さくなっているため、編み髪保持部３０Ａ〜３０Ｕの編み髪保持孔３１に保持された編み髪束１２１〜１４１によって整髪補助具１の毛先側が隠れるので、整髪補助具１の毛先側が外部からほとんど見えることがない。さらに、固定部１０のＸ方向の幅が、固定部１０に隣接する編み髪保持部３０Ａ，３０ＢのＸ方向の幅よりも小さいため、編み髪保持部３０Ａ，３０Ｂの編み髪保持孔３１に保持された編み髪束１２１，１２２によって整髪補助具１の根元側が隠れるので、整髪補助具１の根元側が外部からほとんど見えることがない。
【００２４】
これまで本考案の好ましい実施形態について説明したが、本考案は上述の実施形態に限定されず、その技術的思想の範囲内において種々異なる形態にて実施されてよいことは言うまでもない。
【符号の説明】
【００２５】
１    整髪補助具
１０    固定部
１１Ａ，１１Ｂ，１１Ｃ    溝
１２    波状部
２０    フック部
３０Ａ〜３０Ｕ    編み髪保持部
３１    編み髪保持孔
３２    編み髪挿入溝
１１０  中央髪束
１２１〜１４１  編み髪束
【図１】
0003192373.tif 000003
【図２】
0003192373.tif 000004
【図３】
0003192373.tif 000005
【図４】
0003192373.tif 000006
【図５】
0003192373.tif 000007
【図６Ａ】
0003192373.tif 000008
【図６Ｂ】
0003192373.tif 000009
【図６Ｃ】
0003192373.tif 000010
【図６Ｄ】
0003192373.tif 000011
【図６Ｅ】
0003192373.tif 000012
【図６Ｆ】
0003192373.tif 000013
【図６Ｇ】
0003192373.tif 000014